(57)【要約】【課題】スクリーンを直接制御し、スクリーンを折り畳んだり展開したりし、楽に操作することができるスクリーン補助装置を提供する。【解決手段】スクリーン補助装置は、少なくとも１つの被吸着物１と、操作杆２と、少なくとも１つの吸着物３とを備える。被吸着物１は、スクリーン４の所定位置に配設される。操作杆２は、把持ユニット２１及び案内ユニット２２を有する。把持ユニット２１は、全体が軸線方向へ適宜な長さで延びる。把持ユニット２１の底端には、開口が凹設される。案内ユニット２２は、把持ユニット２１の頂端に位置する。案内ユニット２２の頂端には、案内端２２が設けられ、全体的にＬ字状を呈して水平部２２１１及び垂直部が設けられ、水平部２２１１と垂直部との交接箇所には円弧面が形成される。水平部２２１１の頂端面の中央部には、収納槽が凹設される。【選択図】図１０
0003212809.tif 000002
【実用新案登録請求の範囲】
【請求項１】
少なくとも１つの被吸着物と、操作杆と、少なくとも１つの吸着物とを備えた、スクリーン補助装置であって、
前記被吸着物は、スクリーンの所定位置に配設され、
前記操作杆は、把持ユニット及び案内ユニットを有し、前記把持ユニットは、全体が軸線方向へ適宜な長さで延び、前記把持ユニットの底端には、開口が凹設され、前記案内ユニットは、前記把持ユニットの頂端に位置し、前記案内ユニットの頂端には、案内端が設けられ、全体的にＬ字状を呈して水平部及び垂直部が設けられ、前記水平部と前記垂直部との交接箇所には円弧面が形成され、前記水平部の頂端面の中央部には、収納槽が凹設され、
前記吸着物は、前記操作杆の前記案内ユニットの前記収納槽に配設されるとともに、前記被吸着物を磁性吸着し、前記操作杆により前記スクリーンを折り畳んだり展開したりすることを特徴とするスクリーン補助装置。
【請求項２】
前記被吸着物は、金属材料又は互いに吸着し合う材料からなり、全体的にコ字状を呈して収容槽及び挟持口を有するとともに、前記被吸着物の前記挟持口に頂フック部及び底フック部が設けられ、
前記被吸着物の一端面には溝部が形成され、前記溝部には、前記吸着物を吸引する磁石が配設され、前記被吸着物が、前記頂フック部及び前記底フック部により前記スクリーンを挟持すると、前記被吸着物の前記磁石により前記吸着物が磁気吸引されることを特徴とする請求項１に記載のスクリーン補助装置。
【請求項３】
前記被吸着物の表面には、文字、模様又はトレードマークを有するパターン領域が形成されていることを特徴とする請求項２に記載のスクリーン補助装置。
【請求項４】
前記操作杆の前記把持ユニットは、杆体又は伸縮杆体であることを特徴とする請求項１に記載のスクリーン補助装置。
【請求項５】
前記操作杆の前記把持ユニットと前記案内ユニットとは、組立式又は一体式に形成されることを特徴とする請求項４に記載のスクリーン補助装置。
【請求項６】
前記把持ユニットと前記案内ユニットとが組み合わされると、前記把持ユニットの頂端が突出されて延びて枢着端が形成され、前記案内ユニットの底端が窪んで延び、前記案内端の前記収納槽と連通していない前記枢着端口が形成され、
前記案内ユニットは、前記枢着端口を介して前記把持ユニットの前記枢着端と結合され、前記案内ユニットを前記把持ユニットに挿着したり螺着したりし、着脱自在に組み合わされることを特徴とする請求項５に記載のスクリーン補助装置。
【請求項７】
前記案内ユニットは、前記把持ユニットと螺着され、
前記案内ユニットの前記枢着端口の内縁壁には、雌ねじ部が設けられ、
前記把持ユニットの前記枢着端の外縁壁には、前記案内ユニットの前記枢着端口の前記雌ねじ部に対応した雄ねじ部が設けられていることを特徴とする請求項６に記載のスクリーン補助装置。
【請求項８】
前記吸着物は、磁石、鉄ブロックその他物体を吸着する物であり、
前記吸着物が前記案内ユニットの前記案内端の前記収納槽に配設されると、粘着方式で連結固定されることを特徴とする請求項１に記載のスクリーン補助装置。
【請求項９】
前記操作杆の前記把持ユニットの前記開口には、栓が配設されることを特徴とする請求項１に記載のスクリーン補助装置。
【請求項１０】
前記操作杆は、支持ユニットを有し、
前記支持ユニットは、前記操作杆の頂端の適宜な箇所に配設され、
前記支持ユニットの両端には、ストッパ端がそれぞれ延設されることを特徴とする請求項１に記載のスクリーン補助装置。
【考案の詳細な説明】
【技術分野】
【０００１】
本考案は、スクリーン補助装置に関するものであり更に詳しくは、スクリーンを直接制御し、スクリーンを折り畳みまたは展開する場合に、使用者が身長により制限を受け、または加齢によりスクリーンを適宜な位置に調整することができなかった従来のスクリーン問題点を改善し、容易に操作することを可能とするスクリーン補助装置に関するものである。
【背景技術】
【０００２】
市販されている従来の磁気吸着式スクリーンは、スクリーン用の布と、少なくとも１つの磁性ユニットと、少なくとも１つの金属ユニットとを含む。スクリーン用の布は、上端、下端及び布面を有する。磁性ユニットは、スクリーン用の布の布面の所定箇所に結合される。金属ユニットは、磁性ユニットと一定距離で離されてスクリーン用の布の布面に結合され、金属ユニットは磁性ユニットにより吸着され、スクリーン用の布を折り畳む構造とされている。
【０００３】
上述したように、磁気吸着式スクリーンの取付け位置が高めである場合、使用者がスクリーン用の布を展開したり吊下げたりするとき、使用者の身長により制限を受けたり、加齢により円滑にスクリーンの布を適宜な位置に調整することができない上、操作が容易でないという従来の問題点を改善する技術が求められている状況にあった。
【考案の概要】
【考案が解決しようとする課題】
【０００４】
従って、本考案の主な課題は、スクリーンの取付位置が高い場合、スクリーンを直接制御し、スクリーンを折り畳み、または展開するとき、使用者が身長により制限を受けたり、加齢によりスクリーンを適宜な位置に調整することができなかった従来の問題点を改善し、容易に操作することができるスクリーン補助装置を提供することにある。
【課題を解決するための手段】
【０００５】
そこで、本考案者は、前記の本考案の課題を解決するため鋭意検討を重ねた結果、少なくとも１つの被吸着物と、操作杆と、少なくとも１つの吸着物を備えたスクリーン補助装置を提供することにより、これをベースに前記課題を解決できる点に着目し、かかる知見に基いて、本考案に想到するに至った。
かくして、本考案の要旨、次の（１）〜（１０）に記載の通りのものである。
【０００６】
（１）少なくとも１つの被吸着物と、操作杆と、少なくとも１つの吸着物とを備えた、スクリーン補助装置であって、
前記被吸着物は、スクリーンの所定位置に配設され、
前記操作杆は、把持ユニット及び案内ユニットを有し、前記把持ユニットは、全体が軸線方向へ適宜な長さで延び、前記把持ユニットの底端には、開口が凹設され、前記案内ユニットは、前記把持ユニットの頂端に位置し、前記案内ユニットの頂端には、案内端が設けられ、全体的にＬ字状を呈して水平部及び垂直部が設けられ、前記水平部と前記垂直部との交接箇所には円弧面が形成され、前記水平部の頂端面の中央部には、収納槽が凹設され、
前記吸着物は、前記操作杆の前記案内ユニットの前記収納槽に配設されるとともに、前記被吸着物を磁性吸着し、前記操作杆により前記スクリーンを折り畳んだり展開したりすることを特徴とするスクリーン補助装置。
【０００７】
（２）前記被吸着物は、金属材料又は互いに吸着し合う材料からなり、全体的にコ字状を呈して収容槽及び挟持口を有するとともに、前記被吸着物の前記挟持口に頂フック部及び底フック部が設けられ、
前記被吸着物の一端面には溝部が形成され、前記溝部には、前記吸着物を吸引する磁石が配設され、前記被吸着物が、前記頂フック部及び前記底フック部により前記スクリーンを挟持すると、前記被吸着物の前記磁石により前記吸着物が磁気吸引されることを特徴とする前記（１）に記載のスクリーン補助装置。
【０００８】
（３）前記被吸着物の表面には、文字、模様又はトレードマークを有するパターン領域が形成されていることを特徴とする前記（２）に記載のスクリーン補助装置。
【０００９】
（４）前記操作杆の前記把持ユニットは、杆体又は伸縮杆体であることを特徴とする前記（１）に記載のスクリーン補助装置。
【００１０】
（５）前記操作杆の前記把持ユニットと前記案内ユニットとは、組立式又は一体式に形成されることを特徴とする前記（４）に記載のスクリーン補助装置。
【００１１】
（６）前記把持ユニットと前記案内ユニットとが組み合わされると、前記把持ユニットの頂端が突出されて延びて枢着端が形成され、前記案内ユニットの底端が窪んで延び、前記案内端の前記収納槽と連通していない前記枢着端口が形成され、
前記案内ユニットは、前記枢着端口を介して前記把持ユニットの前記枢着端と結合され、前記案内ユニットを前記把持ユニットに挿着したり螺着したりし、着脱自在に組み合わされることを特徴とする前記（５）に記載のスクリーン補助装置。
【００１２】
（７）前記案内ユニットは、前記把持ユニットと螺着され、
前記案内ユニットの前記枢着端口の内縁壁には、雌ねじ部が設けられ、
前記把持ユニットの前記枢着端の外縁壁には、前記案内ユニットの前記枢着端口の前記雌ねじ部に対応した雄ねじ部が設けられていることを特徴とする前記（６）に記載のスクリーン補助装置。
【００１３】
（８）前記吸着物は、磁石、鉄ブロックその他物体を吸着する物であり、
前記吸着物が前記案内ユニットの前記案内端の前記収納槽に配設されると、粘着方式で連結固定されることを特徴とする前記（１）に記載のスクリーン補助装置。
【００１４】
（９）前記操作杆の前記把持ユニットの前記開口には、栓が配設されることを特徴とする前記（１）に記載のスクリーン補助装置。
【００１５】
（１０）前記操作杆は、支持ユニットを有し、
前記支持ユニットは、前記操作杆の頂端の適宜な箇所に配設され、
前記支持ユニットの両端には、ストッパ端がそれぞれ延設されることを特徴とする前記（１）に記載のスクリーン補助装置。
【考案の効果】
【００１６】
本考案は前記の通りの構成からなるものであり、本考案のスクリーン補助装置によれば、被吸着物の頂フック部及び底フック部によりスクリーンを挟持し、使用者がスクリーンのスクリーン用の布を展開したり垂れ下げたりする際、使用者は操作杆の把持ユニットを把持し、操作杆の案内ユニットが被吸着物に取り付けた磁石に吸着され、案内端の水平部の収納槽には、複数の吸着物が配設され、吸着物が被吸着物の磁石により磁気吸着される。操作杆は、支持ユニットを有し、使用者が操作杆の把持ユニットを把持し、操作杆の案内ユニットが、被吸着物に取り付けた磁石に吸着され、被吸着物が支持ユニットの２つのストッパ端間に位置拘束される。使用者が把持ユニットを把持して操作杆を回転させると、操作杆の回転に応じて被吸着物も回転するため、操作杆の操作により容易にスクリーンを折り畳んだ状態にしたり展開した状態にしたりし、使用者は操作杆を手で持ってスクリーン用の布を引き上げ、スクリーン用の布を一部を折り畳んだ状態、半分折り畳んだ状態又は完全に折り畳んだ状態にしたり、スクリーンを直接操作して折り畳んだ状態にしたり展開した状態にすることができるため、使用者が身長により制限を受けたり、加齢により円滑にスクリーン用の布を適宜な位置に調整できなかった従来の問題点を改善し、容易に操作することができる。
【図面の簡単な説明】
【００１７】
【図１】図１は、本考案の一実施形態に係るスクリーン補助装置を示す説明図である。
【図２】図２は、本考案の一実施形態に係るスクリーン補助装置の被吸着物を示す斜視図である。
【図３】図３は、本考案の一実施形態に係るスクリーン補助装置の操作杆及び吸着物を示す斜視図である。
【図４】図４は、本考案の一実施形態に係るスクリーン補助装置の操作杆及び吸着物を示す分解斜視図（１）である。
【図５】図５は、本考案の一実施形態に係るスクリーン補助装置の操作杆及び吸着物を示す分解斜視図（２）である。
【図６】図６は、本考案の一実施形態に係るスクリーン補助装置の把持ユニットと案内ユニットとを分解した状態を示す分解図である。
【図７】図７は、本考案の一実施形態に係るスクリーン補助装置の使用状態の説明図（１）である。
【図８】図８は、本考案の一実施形態に係るスクリーン補助装置の使用状態の説明図（２）である。
【図９】図９は、本考案の一実施形態に係るスクリーン補助装置の使用状態の説明図（３）である。
【図１０】図１０は、図７〜図９の部分拡大図である。
【図１１】図１１は、本考案の一実施形態に係るスクリーン補助装置の使用状態の説明図（４）である。
【図１２】図１２は、図１１の部分拡大図である。
【図１３】図１３は、本考案の他の実施形態に係るスクリーン補助装置の使用状態の説明図である。
【図１４】図１４は、図１３の部分拡大図である。
【考案を実施するための形態】
【００１８】
まず、図１〜図６を参照する。図１〜図６に示すように、本考案の一実施形態に係るスクリーン補助装置は、少なくとも１つの被吸着物１と、操作杆２と、少なくとも１つの吸着物３とから構成されてなる。
【００１９】
被吸着物１は、スクリーン４の所定位置に配設される。被吸着物１は、各種形状に成形可能である上、全体的に所定の形態に形成可能であるため、スクリーン４全体の見栄えが良い。
【００２０】
操作杆２は、把持ユニット２１及び案内ユニット２２を有する。把持ユニット２１は、全体が軸線方向へ適宜な長さで延びる。把持ユニット２１の底端には、開口２１１が凹設されている。把持ユニット２１は、金属、木材又はプラスチックの材料からなる。案内ユニット２２は、把持ユニット２１の頂端に位置する。案内ユニット２２の頂端には、案内端２２１が形成され、全体的にＬ字状を呈して水平部２２１１及び垂直部２２１２が設けられ、水平部２２１１と垂直部２２１２との交接箇所には円弧面２２１３が形成される。水平部２２１１の頂端面の中央部には、収納槽２２１４が凹設される。
【００２１】
吸着物３は、操作杆２の案内ユニット２２の収納槽２２１４に配設される。吸着物３は、各種形状に成形可能である上、全体的に所定の形態に形成可能であり、案内ユニット２２の収納槽２２１４の全体の輪郭により、操作杆２の案内ユニット２２全体の見栄えが良い。吸着物３と被吸着物１とを互いに磁性吸着し、操作杆２によりスクリーン４を折り畳んだ状態にしたり展開した状態にしたりする。
【００２２】
前述した被吸着物１は、金属材料又は互いに吸着し合う材料からなり、全体的にコ字状を呈して収容槽１１及び挟持口１２を有するとともに、被吸着物１の挟持口１２に頂フック部１２１及び底フック部１２２が設けられる。被吸着物１の一端面には溝部１３が形成される。溝部１３には、吸着物３を吸引する磁石１４が配設される。被吸着物１が、頂フック部１２１及び底フック部１２２によりスクリーン４を挟持すると、被吸着物１の磁石１４により吸着物３が磁気吸引され、操作杆２によりスクリーン４を折り畳んだ状態にしたり展開した状態にしたりすることができる。被吸着物１の表面には、文字、模様又はトレードマークを有するパターン領域１５が形成されている（図２を参照する）。
【００２３】
前述した操作杆２の把持ユニット２１は、杆体又は伸縮杆体であり、全体の形態について以下説明する。
【００２４】
形態（１）：把持ユニット２１が杆体である場合、操作杆２の把持ユニット２１と案内ユニット２２とは、組立式又は一体式に形成される。
【００２５】
形態（２）：把持ユニット２１が伸縮杆体である場合、伸縮杆体は、伸縮可能に接合する複数のロッドから構成されている。前述した開口２１１は、前述した伸縮杆体の底端に位置する。把持ユニット２１と案内ユニット２２とは、組立式又は一体式に形成される。
【００２６】
形態（１）又は形態（２）の場合であっても、把持ユニット２１と案内ユニット２２とが組み合わされると、把持ユニット２１の頂端が突出されて延び、枢着端２１２が形成される。案内ユニット２２の底端には、案内端２２１の収納槽２２１４と連通しない枢着端口２２２が凹設されている。枢着端口２２２には、案内ユニット２２が配設され、枢着端口２２２を介して把持ユニット２１の枢着端２１２が結合され、案内ユニット２２を介して把持ユニット２１が挿着されたり（図４及び図５を参照する）螺着されたりし（図６を参照する）、着脱自在構造に形成される。
【００２７】
案内ユニット２２と把持ユニット２１とが螺着される場合、案内ユニット２２の枢着端口２２２の内縁壁には、雌ねじ部２２２１が設けられる。把持ユニット２１の枢着端２１２の外縁壁には、案内ユニット２２の枢着端口２２２の雌ねじ部２２２１に対応した雄ねじ部２１２１が設けられる。
【００２８】
操作杆２の把持ユニット２１と案内ユニット２２との組み合わせ方式が如何なるものであっても、吸着物３は磁石、鉄ブロックその他物体を吸着する物でもよい。吸着物３が案内ユニット２２の案内端２２１の収納槽２２１４に配設されるとき、粘着方式で連結固定される。把持ユニット２１の開口２１１には、栓２１１１が配設される。
【００２９】
図２〜図５と併せて図７〜図１４を参照する。本考案の一実施形態に係るスクリーン補助装置は、少なくとも１つの被吸着物１と、操作杆２と、少なくとも１つの吸着物３とから構成される。被吸着物１、操作杆２及び吸着物３の全体構造については既に説明しているため、ここでは繰り返して述べない。操作杆２の把持ユニット２１と案内ユニット２２とが組み合わされると、被吸着物１がスクリーン４の所定位置に設置されるとともに、操作杆２に配設された吸着物３を介し、被吸着物１を磁気吸引し、操作杆２によりスクリーン４を折り畳んだ状態にしたり展開した状態にしたりすることができる。本実施形態のスクリーン４は、自動巻取式スクリーン（図７を参照する）、吊掛け式スクリーン（図８を参照する）、磁気吸引式スクリーン（図９を参照する）、着脱可能な吊掛け式スクリーン（図１１を参照する）、ローマンシェード（図示せず）又はその他の形式の吊掛け式（巻取式）スクリーンなど、市販されている様々なタイプでもよいが、本考案においてスクリーン４は特に重要でないため、スクリーン４については以下（１）及び（２）で簡単に説明する。
【００３０】
（１）上述したスクリーン４（例えば、自動巻取式スクリーン、吊掛け式スクリーン、磁気吸引式スクリーン、着脱可能な吊掛け式スクリーン）のそれぞれは、スクリーン用の布４１を有し、底端にスクリーン管部４１１が設けられる。スクリーン管部４１１内には、重り杆４１２が設けられる。本考案を実際に使用する際、まず、スクリーン４をドア、窓枠に掛設するか、ドア、窓枠に当接して固定してから、被吸着物１の頂フック部１２１及び底フック部１２２によりスクリーン４のスクリーン用の布４１の重り杆４１２を挟持し、スクリーン用の布４１のスクリーン管部４１１の重り杆４１２を被吸着物１の収容槽１１内に挿入するとともに、挟持口１２の頂フック部１２１及び底フック部１２２により係合して位置決めし、被吸着物１をスクリーン４に固定する。使用者がスクリーン４のスクリーン用の布４１を展開したり垂れ下げたりする際、使用者は操作杆２の把持ユニット２１を把持する。把持ユニット２１は、杆体又は伸縮杆体である。操作杆２の案内ユニット２２は、被吸着物１に取り付けた磁石１４に吸着され、案内端２２１の水平部２２１１の収納槽２２１４には、複数の吸着物３が配設される。吸着物３は、被吸着物１の磁石１４により磁気吸引され、操作杆２によりスクリーン４のスクリーン用の布４１を折り畳んだ状態にしたり展開した状態にしたりすることができる（図７〜図１０を参照する）。
【００３１】
（２）上述したスクリーン４（例えば、着脱可能スクリーン）は、スクリーン用の布４２を有する。スクリーン用の布４２は、複数のスクリーン体４２１及び複数の突合せユニット４２２を含む。スクリーン体４２１の両端には、スクリーン管部４２１１がそれぞれ設けられる。突合せユニット４２２は、各スクリーン体４２１の各スクリーン管部４２１１内にそれぞれ設けられ、各スクリーン体４２１を着脱可能に結合する。このように、本考案を実際に使用する際、まず、スクリーン４をドア、窓枠に掛設するか、ドア、窓枠に当接して固定してから、被吸着物１の頂フック部１２１及び底フック部１２２により、スクリーン４のスクリーン用の布４１の最底端の突合せユニット４２２を挟持し、スクリーン体４２１底端のスクリーン管部４２１１の突合せユニット４２２を被吸着物１の収容槽１１内に挿入するとともに、挟持口１２の頂フック部１２１及び底フック部１２２が係合して位置決めされ、被吸着物１がスクリーン４に固定される。使用者がスクリーン４のスクリーン体４２１を組み合わせたり交換したりするとき、使用者は操作杆２の把持ユニット２１を把持する。把持ユニット２１は、杆体又は伸縮杆体であり、操作杆２の案内ユニット２２が、被吸着物１に取り付けた磁石１４により吸着され、案内端２２１の水平部２２１１の収納槽２２１４には、複数の吸着物３が配設され、吸着物３と被吸着物１の磁石１４とが磁気吸引され、操作杆２によりスクリーン用の布４２のスクリーン体４２１を分解し、分解したスクリーン体４２１をもう一つスクリーン体４２１へ移動させることにより、各スクリーン体４２１を突合せユニット４２２により自在に組み立てたり分解したりすることができる上、所望の形態に応じてスクリーン用の布４２を組み合わせて製作し、容易に組み立てたり分解したりすることができるため、変化に富み、実用的で見た目に優れている（図１１及び図１２を参照する）。
【００３２】
上述の実施形態において、操作杆２は、支持ユニット２３を備える。支持ユニット２３は、枢着孔２３１を有し、枢着孔２３１を介して支持ユニット２３を操作杆２の頂端の適宜な箇所に配設することができる。支持ユニット２３の両端には、ストッパ端２３２がそれぞれ延設され、使用者が操作杆２の把持ユニット２１を把持し、操作杆２の案内ユニット２２が、被吸着物１に取り付けた磁石１４により吸着され、案内端２２１の水平部２２１１の収納槽２２１４に複数の吸着物３が配設され、吸着物３が被吸着物１の磁石１４により磁性吸着され、被吸着物１が支持ユニット２３の２つのストッパ端２３２間に位置拘束され、使用者が把持ユニット２１を把持して操作杆２を回転させると、操作杆２の回転に応じて被吸着物１も回転し、操作杆２の操作により容易にスクリーン４のスクリーン用の布４１を折り畳んだ状態にしたり展開した状態にしたりするか（図７〜図１０、図１３、図１４を参照する）、或いは、操作杆２によりスクリーン４のスクリーン用の布４２の各スクリーン体４２１を容易に組み立てたり分解したりすることができる（図１１〜図１４を参照する）。
【００３３】
また、操作杆２に支持ユニット２３を増設すると、使用者は操作杆２を手で持って被吸着物１と組み合わせるだけでスクリーン４のスクリーン用の布４１（スクリーン用の布４２）を所望の高さへ調整することができる。このようにスクリーン用の布４１（４２）を上方へ折り畳むことができる。この折り畳んだ状態は、吸着位置に応じて一部を折り畳んだ状態、半分折り畳んだ状態又は完全に折り畳んだ状態にすることができるし、或いは、任意に組立てたり分解したりし、自宅及び事務所のドア又は窓枠を装飾して室内の採光状況を変化させ、明るさを向上させ、太陽光が直接射し込んで目を刺激したり室温が上昇したりするなどの問題点を改善し、室内に射し込む光を調整し、室内の採光状況を変化させることができる。このように本考案のスクリーン補助装置は、スクリーン４を直接操作して折り畳んだ状態にしたり展開した状態にし、使用者が身長により制限を受けたり、加齢により円滑にスクリーン４のスクリーン用の布４１（４２）を適宜な位置に調整できなかった従来の問題点を改善し、容易に操作することができる。
【符号の説明】
【００３４】
１  被吸着物
２  操作杆
３  吸着物
４  スクリーン
１１  収容槽
１２  挟持口
１３  溝部
１４  磁石
１５  パターン領域
２１  把持ユニット
２２  案内ユニット
２３  支持ユニット
４１  スクリーン用の布
４２  スクリーン用の布
１２１  頂フック部
１２２  底フック部
２１１  開口
２１２  枢着端
２２１  案内端
２２２  枢着端口
２３１  枢着孔
２３２  ストッパ端
４１１  スクリーン管部
４１２  重り杆
４２１  スクリーン体
４２２  突合せユニット
２１１１  栓
２１２１  雄ねじ部
２２１１  水平部
２２１２  垂直部
２２１３  円弧面
２２１４  収納槽
２２２１  雌ねじ部
４２１１  スクリーン管部
【図１】
0003212809.tif 000003
【図２】
0003212809.tif 000004
【図３】
0003212809.tif 000005
【図４】
0003212809.tif 000006
【図５】
0003212809.tif 000007
【図６】
0003212809.tif 000008
【図７】
0003212809.tif 000009
【図８】
0003212809.tif 000010
【図９】
0003212809.tif 000011
【図１０】
0003212809.tif 000012
【図１１】
0003212809.tif 000013
【図１２】
0003212809.tif 000014
【図１３】
0003212809.tif 000015
【図１４】
0003212809.tif 000016
【手続補正書】
【提出日】平成29年8月14日(2017.8.14)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つの被吸着物と、操作杆と、少なくとも１つの吸着物とを備えた、スクリーン補助装置であって、
前記被吸着物は、スクリーンの所定位置に配設され、
前記操作杆は、把持ユニット及び案内ユニットを有し、前記把持ユニットは、全体が軸線方向へ適宜な長さで延び、前記把持ユニットの底端には、開口が凹設され、前記案内ユニットは、前記把持ユニットの頂端に位置し、前記案内ユニットの頂端には、案内端が設けられ、全体的にＬ字状を呈して水平部及び垂直部が設けられ、前記水平部と前記垂直部との交接箇所には円弧面が形成され、前記水平部の頂端面の中央部には、収納槽が凹設され、
前記吸着物は、前記操作杆の前記案内ユニットの前記収納槽に配設されるとともに、前記被吸着物を磁性吸着し、前記操作杆により前記スクリーンを折り畳んだり展開したりすることを特徴とするスクリーン補助装置。
【請求項２】
前記被吸着物は、金属材料又は互いに吸着し合う材料からなり、全体的にコ字状を呈して収容槽及び挟持口を有するとともに、前記被吸着物の前記挟持口に頂フック部及び底フック部が設けられ、
前記被吸着物の一端面には溝部が形成され、前記溝部には、前記吸着物を吸引する磁石が配設され、前記被吸着物が、前記頂フック部及び前記底フック部により前記スクリーンを挟持すると、前記被吸着物の前記磁石により前記吸着物が磁気吸引されることを特徴とする請求項１に記載のスクリーン補助装置。
【請求項３】
前記被吸着物の表面には、文字、模様又はトレードマークを有するパターン領域が形成されていることを特徴とする請求項２に記載のスクリーン補助装置。
【請求項４】
前記操作杆の前記把持ユニットは、杆体又は伸縮杆体であることを特徴とする請求項１に記載のスクリーン補助装置。
【請求項５】
前記操作杆の前記把持ユニットと前記案内ユニットとは、組立式又は一体式に形成されることを特徴とする請求項４に記載のスクリーン補助装置。
【請求項６】
前記把持ユニットと前記案内ユニットとが組み合わされると、前記把持ユニットの頂端が突出されて延びて枢着端が形成され、前記案内ユニットの底端が窪んで延び、前記案内端の前記収納槽と連通していない枢着端口が形成され、
前記案内ユニットは、前記枢着端口を介して前記把持ユニットの前記枢着端と結合され、前記案内ユニットを前記把持ユニットに挿着したり螺着したりし、着脱自在に組み合わされることを特徴とする請求項５に記載のスクリーン補助装置。
【請求項７】
前記案内ユニットは、前記把持ユニットと螺着され、
前記案内ユニットの前記枢着端口の内縁壁には、雌ねじ部が設けられ、
前記把持ユニットの前記枢着端の外縁壁には、前記案内ユニットの前記枢着端口の前記雌ねじ部に対応した雄ねじ部が設けられていることを特徴とする請求項６に記載のスクリーン補助装置。
【請求項８】
前記吸着物は、磁石、鉄ブロックその他物体を吸着する物であり、
前記吸着物が前記案内ユニットの前記案内端の前記収納槽に配設されると、粘着方式で連結固定されることを特徴とする請求項１に記載のスクリーン補助装置。
【請求項９】
前記操作杆の前記把持ユニットの前記開口には、栓が配設されることを特徴とする請求項１に記載のスクリーン補助装置。
【請求項１０】
前記操作杆は、支持ユニットを有し、
前記支持ユニットは、前記操作杆の頂端の適宜な箇所に配設され、
前記支持ユニットの両端には、ストッパ端がそれぞれ延設されることを特徴とする請求項１に記載のスクリーン補助装置。。